(57)【要約】【課題】端末が訪問したセルのセルタイプを知ることに寄与する。【解決手段】セルＣｅｌｌ＃１の基地局は、自己と同一周波数帯を使用する基地局のセル（intra-frequency neighboring cell）のセルタイプを示すセルタイプ情報を、ＳＩＢタイプ４（System Information Block type4：ＳＩＢ４）に含めて送信する。端末ＵＥは該ＳＩＢ４を受信する。セルＣｅｌｌ＃１の基地局は、自己と異なる周波数帯を使用する基地局のセル（inter-frequency neighboring cell）のセルタイプを示すセルタイプ情報を、ＳＩＢタイプ５（System Information Block type5：ＳＩＢ５）に含めて送信する。端末ＵＥは該ＳＩＢ５を受信する。【選択図】図４
2015173358.tif 000002
【特許請求の範囲】
【請求項１】
無線端末装置に対してセルタイプ情報を送信することを特徴とする無線基地局装置。
【請求項２】
前記セルタイプ情報をシステム情報ブロックに含めて送信することを特徴とする請求項１に記載の無線基地局装置。
【請求項３】
自己と同一周波数帯を使用する無線基地局装置のセルのセルタイプを示すセルタイプ情報を、システム情報ブロックタイプ４に含めて送信することを特徴とする請求項２に記載の無線基地局装置。
【請求項４】
自己と異なる周波数帯を使用する無線基地局装置のセルのセルタイプを示すセルタイプ情報を、システム情報ブロックタイプ５に含めて送信することを特徴とする請求項２に記載の無線基地局装置。
【請求項５】
無線基地局装置からセルタイプ情報を受信することを特徴とする無線端末装置。
【請求項６】
前記セルタイプ情報を含むシステム情報ブロックを受信することを特徴とする請求項５に記載の無線端末装置。
【請求項７】
前記無線基地局装置と同一周波数帯を使用する無線基地局装置のセルのセルタイプを示すセルタイプ情報を含むシステム情報ブロックタイプ４を受信することを特徴とする請求項６に記載の無線端末装置。
【請求項８】
前記無線基地局装置と異なる周波数帯を使用する無線基地局装置のセルのセルタイプを示すセルタイプ情報を含むシステム情報ブロックタイプ５を受信することを特徴とする請求項６に記載の無線端末装置。
【請求項９】
無線基地局装置が、無線端末装置に対してセルタイプ情報を送信するステップと、
無線端末装置が、前記無線基地局装置から前記セルタイプ情報を受信するステップと、
を含むことを特徴とするセルタイプ情報取得方法。
【請求項１０】
無線基地局装置のコンピュータに、
無線端末装置に対してセルタイプ情報を送信するステップを実行させるためのコンピュータプログラム。
【請求項１１】
無線端末装置のコンピュータに、
無線基地局装置からセルタイプ情報を受信するステップを実行させるためのコンピュータプログラム。
【発明の詳細な説明】
【技術分野】
【０００１】
本発明は、無線基地局装置、無線端末装置、セルタイプ情報取得方法およびコンピュータプログラムに関する。
【背景技術】
【０００２】
近年、ＨｅｔＮｅｔ（Heterogeneous Network）と呼ばれる無線通信ネットワークが知られている。ＨｅｔＮｅｔでは、セルサイズなどが異なる複数のセルが、部分的に又は全部が重複して配置される。３ＧＰＰ（3rd Generation Partnership Project）で標準化作業が進められているＬＴＥ（Long Term Evolution）と呼ばれる無線通信システム（ＬＴＥシステム）では（例えば、非特許文献１，２参照）、ＨｅｔＮｅｔにおいて、異なるタイプの複数のセルを、高い通信速度の通信サービスやトラフィックの負荷分散（トラフィック・オフロード（traffic offloading））などに利用することが検討されている。
【０００３】
また、ＬＴＥシステムでは、ターゲット・セル（Target Cell）のセルタイプ、又は、サービング・セル（Serving Cell）とターゲット・セルのセルタイプに応じて、ハンドオーバ（hand over）・パラメータをスケーリング（Scaling）する技術について検討されている（例えば、非特許文献３，４，５参照）。また、無線リンク障害（Radio Link Failure：RLF）からの回復のために準備される再確立（re-establishment）ターゲット・セルについて検討されている（例えば、非特許文献６参照）。
【先行技術文献】
【非特許文献】
【０００４】
【非特許文献１】3GPP、TS 36.300、“Evolved Universal Terrestrial Radio Access (E-UTRA) and Evolved Universal Terrestrial Radio Access Network (E-UTRAN); Overall description; Stage 2”
【非特許文献２】3GPP TS 36.331、“Evolved Universal Terrestrial Radio Access (E-UTRA);Radio Resource Control (RRC); Protocol specification”
【非特許文献３】3GPP TSG-RAN WG2 Meeting  R2-133584、“UE based solutions for mobility robustness”
【非特許文献４】3GPP TSG RAN WG2 Meeting #84  R2-134300、“Further study on HO parameters scaling based on cell type”、Intel Corporation
【非特許文献５】3GPP TSG RAN WG2 Meeting #84  R2-134098、“Way forward for Hetnet mobility robustness enhancements”、NSN, Nokia
【非特許文献６】3GPP TSG RAN WG2 Meeting #84  R2-133435、“Solutions to improve RLF recovery in HetNet deployment”、Huawei
【発明の概要】
【発明が解決しようとする課題】
【０００５】
しかしながら、端末（user equipment：UE）は訪問したセルがどのような類型（タイプ（type））のセルであるのかが分からない。また、基地局（E-UTRAN NodeB：eNB）も自己の近くに在るセルのセルタイプであるのかが分からない。このため、上述したハンドオーバ・パラメータのスケーリングや再確立ターゲット・セルの準備などにおいて、セルタイプを利用できない、という課題がある。
【０００６】
本発明は、このような事情を考慮してなされたものであり、端末が訪問したセルのセルタイプを知ることができる、無線基地局装置、無線端末装置、セルタイプ情報取得方法およびコンピュータプログラムを提供することを課題とする。
【課題を解決するための手段】
【０００７】
（１）本発明に係る無線基地局装置は、無線端末装置に対してセルタイプ情報を送信することを特徴とする。
（２）本発明に係る無線基地局装置は、上記（１）の無線基地局装置において、前記セルタイプ情報をシステム情報ブロックに含めて送信することを特徴とする。
（３）本発明に係る無線基地局装置は、上記（２）の無線基地局装置において、自己と同一周波数帯を使用する無線基地局装置のセルのセルタイプを示すセルタイプ情報を、システム情報ブロックタイプ４に含めて送信することを特徴とする。
（４）本発明に係る無線基地局装置は、上記（２）の無線基地局装置において、自己と異なる周波数帯を使用する無線基地局装置のセルのセルタイプを示すセルタイプ情報を、システム情報ブロックタイプ５に含めて送信することを特徴とする。
【０００８】
（５）本発明に係る無線端末装置は、無線基地局装置からセルタイプ情報を受信することを特徴とする。
（６）本発明に係る無線端末装置は、上記（５）の無線端末装置において、前記セルタイプ情報を含むシステム情報ブロックを受信することを特徴とする。
（７）本発明に係る無線端末装置は、上記（６）の無線端末装置において、前記無線基地局装置と同一周波数帯を使用する無線基地局装置のセルのセルタイプを示すセルタイプ情報を含むシステム情報ブロックタイプ４を受信することを特徴とする。
（８）本発明に係る無線端末装置は、上記（６）の無線端末装置において、前記無線基地局装置と異なる周波数帯を使用する無線基地局装置のセルのセルタイプを示すセルタイプ情報を含むシステム情報ブロックタイプ５を受信することを特徴とする。
【０００９】
（９）本発明に係るセルタイプ情報取得方法は、無線基地局装置が、無線端末装置に対してセルタイプ情報を送信するステップと、無線端末装置が、前記無線基地局装置から前記セルタイプ情報を受信するステップと、を含むことを特徴とする。
【００１０】
（１０）本発明に係るコンピュータプログラムは、無線基地局装置のコンピュータに、無線端末装置に対してセルタイプ情報を送信するステップを実行させるためのコンピュータプログラムであることを特徴とする。
（１１）本発明に係るコンピュータプログラムは、無線端末装置のコンピュータに、無線基地局装置からセルタイプ情報を受信するステップを実行させるためのコンピュータプログラムであることを特徴とする。
【発明の効果】
【００１１】
本発明によれば、端末が訪問したセルのセルタイプを知ることができるという効果が得られる。
【図面の簡単な説明】
【００１２】
【図１】本発明の一実施形態に係るＨｅｔＮｅｔの構成例を示す概念図である。
【図２】本発明の一実施形態に係る端末ＵＥの構成例を示すブロック図である。
【図３】本発明の一実施形態に係る基地局ｅＮＢの構成例を示すブロック図である。
【図４】本発明の一実施形態に係るセルタイプ情報取得方法を説明するための概念図である。
【図５】本発明の一実施形態に係る端末ＵＥ、基地局ｅＮＢの処理手順の例を示すシーケンスチャートである。
【図６】本発明の一実施形態に係るセルタイプ情報の構成例を示す図表である。
【図７】本発明の一実施形態に係るセルタイプ情報の構成例を示す図表である。
【発明を実施するための形態】
【００１３】
以下、図面を参照し、本発明の一実施形態について説明する。本実施形態では、無線通信システムの一例として、ＬＴＥシステムを挙げて説明する。
【００１４】
図１は、本発明の一実施形態に係るＨｅｔＮｅｔの構成例を示す概念図である。図１において、マクロセル基地局ｅＮＢ＿ｍ１，ｅＮＢ＿ｍ２は、それぞれマクロセル（Macro cell）Ｃ＿ｍ１，Ｃ＿ｍ２を提供する。スモールセル基地局ｅＮＢ＿ｓ１，ｅＮＢ＿ｓ２，ｅＮＢ＿ｓ３，ｅＮＢ＿ｓ４，ｅＮＢ＿ｓ５，ｅＮＢ＿ｓ６，ｅＮＢ＿ｓ７は、それぞれスモールセル（Small cell）Ｃ＿ｓ１，Ｃ＿ｓ２，Ｃ＿ｓ３，Ｃ＿ｓ４，Ｃ＿ｓ５，Ｃ＿ｓ６，Ｃ＿ｓ７を提供する。マクロセルＣ＿ｍ１，Ｃ＿ｍ２は、スモールセルＣ＿ｓ１，Ｃ＿ｓ２，Ｃ＿ｓ３，Ｃ＿ｓ４，Ｃ＿ｓ５，Ｃ＿ｓ６，Ｃ＿ｓ７よりも、カバレッジ（coverage）が広い。マクロセルＣ＿ｍ１とＣ＿ｍ２は、部分的に重複して配置されている。スモールセルＣ＿ｓ１，Ｃ＿ｓ２，Ｃ＿ｓ３，Ｃ＿ｓ４は、マクロセルＣ＿ｍ１に対して重複して配置されている。スモールセルＣ＿ｓ４，Ｃ＿ｓ５，Ｃ＿ｓ６，Ｃ＿ｓ７は、マクロセルＣ＿ｍ２に対して重複して配置されている。
【００１５】
以下、マクロセル基地局ｅＮＢ＿ｍ１，ｅＮＢ＿ｍ２を特に区別しないときは「マクロセル基地局ｅＮＢ＿ｍ」と称する。また、スモールセル基地局ｅＮＢ＿ｓ１，ｅＮＢ＿ｓ２，ｅＮＢ＿ｓ３，ｅＮＢ＿ｓ４，ｅＮＢ＿ｓ５，ｅＮＢ＿ｓ６，ｅＮＢ＿ｓ７を特に区別しないときは「スモールセル基地局ｅＮＢ＿ｓ」と称する。また、マクロセル基地局ｅＮＢ＿ｍとスモールセル基地局ｅＮＢ＿ｓを特に区別しないときは「基地局ｅＮＢ」と称する。
【００１６】
端末ＵＥは、マクロセル基地局ｅＮＢ＿ｍおよびスモールセル基地局ｅＮＢ＿ｓの両方に接続することができる。端末ＵＥは、図１中の矢印の方向に移動しながら、適宜、ハンドオーバにより接続先の基地局ｅＮＢを変更することができる。
【００１７】
図２は、本発明の一実施形態に係る端末（無線端末装置）ＵＥの構成例を示すブロック図である。図２において、端末ＵＥは、無線通信部１１、制御部１２、記憶部１３、入力部１４及び出力部１５を備える。無線通信部１１、制御部１２、記憶部１３、入力部１４及び出力部１５は相互にデータを送受できるように接続されている。無線通信部１１は、マクロセル基地局ｅＮＢ＿ｍ及びスモールセル基地局ｅＮＢ＿ｓに無線接続できる。無線通信部１１は、無線接続している基地局ｅＮＢを介して、他の装置と通信する。
【００１８】
制御部１２は端末ＵＥに係る動作の制御を行う。記憶部１３はデータを格納する。入力部１４はデータの入力を行う。出力部１５はデータの出力を行う。入力部１４として、例えば、キーボード、テンキー、マウス等の入力デバイス、音声を入力するマイクロホン、近距離無線通信の受信デバイスなどが挙げられる。出力部１５として、例えば、液晶表示装置等の表示デバイス、音声を出力するスピーカ、近距離無線通信の送信デバイスなどが挙げられる。また、入力デバイスと表示デバイスの両方の機能を有するタッチパネルを備えてもよい。端末ＵＥとして、例えば、スマートフォンやタブレット型のコンピュータ（タブレットＰＣ）等の携帯通信端末装置が挙げられる。
【００１９】
制御部１２は、セルタイプ情報を取得するセルタイプ情報取得部１２１を有する。
【００２０】
図３は、本発明の一実施形態に係る基地局（無線基地局装置）ｅＮＢの構成例を示すブロック図である。図３において、基地局ｅＮＢは、無線通信部２１、通信部２２、制御部２３及び記憶部２４を備える。無線通信部２１、通信部２２、制御部２３及び記憶部２４は相互にデータを送受できるように接続されている。無線通信部２１は端末ＵＥと無線通信する。通信部２２は、バックボーンネットワークを介して他の装置と通信する。制御部２３は基地局ｅＮＢに係る動作の制御を行う。記憶部２４はデータを格納する。
【００２１】
制御部２３は、セルタイプ情報の送信データを生成するセルタイプ送信データ生成部２３１を有する。
【００２２】
次に、図４を参照して、本実施形態に係るセルタイプ情報取得方法を説明する。図４は、本発明の一実施形態に係るセルタイプ情報取得方法を説明するための概念図である。以下の説明では、マクロセルとスモールセルを特に区別せず、単にセルと称する。
【００２３】
図４において、端末ＵＥは、セルＣｅｌｌ＃１の基地局ｅＮＢに接続している。セルＣｅｌｌ＃１の基地局ｅＮＢは、端末ＵＥに対して、セルタイプ情報を送信する。セルＣｅｌｌ＃１の基地局ｅＮＢが送信するセルタイプ情報は、自基地局ｅＮＢのセルＣｅｌｌ＃１のセルタイプを示す情報を含む。又は、セルＣｅｌｌ＃１の基地局ｅＮＢが送信するセルタイプ情報は、自基地局ｅＮＢの近くに在るセルのセルタイプを示す情報を含む。図４の例では、セルタイプ情報は、システム情報ブロック（System Information Block：ＳＩＢ）に含まれる。端末ＵＥは、セルタイプ情報を含むＳＩＢを受信する。
【００２４】
セルＣｅｌｌ＃１の基地局ｅＮＢは、自己と同一周波数帯を使用する基地局ｅＮＢのセル（intra-frequency neighboring cell）のセルタイプを示すセルタイプ情報を、ＳＩＢタイプ４（System Information Block type4：ＳＩＢ４）に含めて送信する。端末ＵＥは該ＳＩＢ４を受信する。
【００２５】
図４の例では、セルＣｅｌｌ＃４の基地局ｅＮＢがセルＣｅｌｌ＃１の基地局ｅＮＢと同一周波数帯ｆ１を使用している。このため、セルＣｅｌｌ＃１の基地局ｅＮＢは、自セルＣｅｌｌ＃１のセルタイプとセルＣｅｌｌ＃４のセルタイプとをＳＩＢ４により端末ＵＥへ通知する。なお、ＬＴＥシステムにおいて、ＳＩＢ４は、自セルと同一周波数帯を使用する近くのセルに関する情報として定義されている（例えば、非特許文献１参照）。
【００２６】
セルＣｅｌｌ＃１の基地局ｅＮＢは、自己と異なる周波数帯を使用する基地局ｅＮＢのセル（inter-frequency neighboring cell）のセルタイプを示すセルタイプ情報を、ＳＩＢタイプ５（System Information Block type5：ＳＩＢ５）に含めて送信する。端末ＵＥは該ＳＩＢ５を受信する。
【００２７】
図４の例では、セルＣｅｌｌ＃２の基地局ｅＮＢとセルＣｅｌｌ＃３の基地局ｅＮＢとが、セルＣｅｌｌ＃１の基地局ｅＮＢの周波数帯ｆ１とは異なる周波数帯ｆ２を使用している。このため、セルＣｅｌｌ＃１の基地局ｅＮＢは、セルＣｅｌｌ＃２のセルタイプとセルＣｅｌｌ＃３のセルタイプとをＳＩＢ５により端末ＵＥへ通知する。なお、ＬＴＥシステムにおいて、ＳＩＢ５は、自セルと異なる周波数帯を使用する近くのセルに関する情報として定義されている（例えば、非特許文献１参照）。
【００２８】
これにより、端末ＵＥは、セルＣｅｌｌ＃１の基地局ｅＮＢから受信したＳＩＢ４およびＳＩＢ５に基づいて、各セルＣｅｌｌ＃１，Ｃｅｌｌ＃２，Ｃｅｌｌ＃３，Ｃｅｌｌ＃４のセルタイプを知ることができる。
【００２９】
図５は、本発明の一実施形態に係る端末ＵＥ、基地局ｅＮＢの処理手順の例を示すシーケンスチャートである。以下、図５を参照して、本実施形態に係る端末ＵＥ、基地局ｅＮＢの動作の例を説明する。
【００３０】
（ステップＳ１）  基地局ｅＮＢは、端末ＵＥに対して、マスター情報ブロック（Master Information Block：ＭＩＢ）を送信する。端末ＵＥは、ＭＩＢを受信する。
【００３１】
（ステップＳ２）  基地局ｅＮＢは、端末ＵＥに対して、ＳＩＢタイプ１（ＳＩＢ１）を送信する。端末ＵＥは、ＳＩＢ１を受信する。
【００３２】
（ステップＳ３）  基地局ｅＮＢは、端末ＵＥに対して、システム情報を送信する。端末ＵＥは、システム情報を受信する。
【００３３】
（ステップＳ４）  基地局ｅＮＢにおいて、制御部２３のセルタイプ送信データ生成部２３１は、自基地局ｅＮＢと同一周波数帯を使用する基地局ｅＮＢのセルのセルタイプを示すセルタイプ情報（同一周波数帯セルタイプ情報）を含むＳＩＢ４を生成する。無線通信部２１は、端末ＵＥに対して、該生成されたＳＩＢ４を送信する。端末ＵＥにおいて、無線通信部１１は、そのＳＩＢ４を受信する。制御部１２のセルタイプ情報取得部１２１は、該受信されたＳＩＢ４からセルタイプ情報を取得する。これにより、端末ＵＥは、該ＳＩＢ４の送信元基地局ｅＮＢの近くに在るセルのうち、該送信元基地局ｅＮＢと同一周波数帯を使用するセルのセルタイプを知ることができる。
【００３４】
（ステップＳ５）  基地局ｅＮＢにおいて、制御部２３のセルタイプ送信データ生成部２３１は、自基地局ｅＮＢと異なる周波数帯を使用する基地局ｅＮＢのセルのセルタイプを示すセルタイプ情報（異周波数帯セルタイプ情報）を含むＳＩＢ５を生成する。無線通信部２１は、端末ＵＥに対して、該生成されたＳＩＢ５を送信する。端末ＵＥにおいて、無線通信部１１は、そのＳＩＢ５を受信する。制御部１２のセルタイプ情報取得部１２１は、該受信されたＳＩＢ５からセルタイプ情報を取得する。これにより、端末ＵＥは、該ＳＩＢ５の送信元基地局ｅＮＢの近くに在るセルのうち、該送信元基地局ｅＮＢと異なる周波数帯を使用するセルのセルタイプを知ることができる。
【００３５】
次に、本実施形態に係るセルタイプ情報の例を説明する。セルタイプ情報は、セルに関連する情報として定義される。
【００３６】
［例１：セルのカバレッジ、又は、基地局の送信電力に基づくセルタイプ情報］
セルタイプ情報は、セルのカバレッジ、又は、基地局の送信電力に基づいて定義することができる。図６は、該セルタイプ情報の構成例を示す図表である。図６の例では、セルタイプとして、マクロセル、スモールセル、ピコセル（Pico cell）、フェムトセル（Femto cell）が定義される。各セルタイプにはセルタイプ識別子（セルタイプＩＤ）が割り当てられる。図６の例では、セルタイプ情報として、セルタイプＩＤ「０」，「１」，「２」，「３」を表すための２ビットで構成できる。
【００３７】
［例２：セルの役割、又は、セルの地理的な位置に基づくセルタイプ情報］
セルタイプ情報は、セルの役割、又は、セルの地理的な位置に基づいて定義することができる。図７は、該セルタイプ情報の構成例を示す図表である。図７の例では、セルタイプとして、トラフィック・オフロード、カバレッジ補完が定義される。トラフィック・オフロード用のセルとして、例えば、セルのカバレッジ内に配置されたセルが挙げられる。カバレッジ補完用のセルとして、例えば、セルのエッジ付近に配置されたセルが挙げられる。各セルタイプにはセルタイプＩＤが割り当てられる。図７の例では、セルタイプ情報として、セルタイプＩＤ「０」，「１」を表すための１ビットで構成できる。
【００３８】
［例３：セルの在る場所に基づくセルタイプ情報］
セルタイプ情報は、セルの在る場所に基づいて定義することができる。例えば、建物の内部に在るセルと、建物の外部に在るセルとをそれぞれ別のセルタイプとして定義して区別することが挙げられる。
【００３９】
［例４：建物の内部に在るセルに対してセルの在る場所の高さに基づくセルタイプ情報］
セルタイプ情報は、建物の内部に在るセルに対してセルの在る場所の高さに基づいて定義することができる。例えば、同一建物内に在るセルに対して、高層階に在るセルと、低層階に在るセルとをそれぞれ別のセルタイプとして定義して区別することが挙げられる。
【００４０】
上述したセルタイプ情報の例は、それぞれ単独で使用されてもよく、又は、複数を組み合わせて使用されてもよい。例えば、上述した例１と例２のセルタイプ情報を組み合わせることが挙げられる。具体例として、
・トラフィック・オフロード且つスモールセル
・トラフィック・オフロード且つピコセル
・トラフィック・オフロード且つフェムトセル
・カバレッジ補完且つスモールセル
・カバレッジ補完且つピコセル
・カバレッジ補完且つフェムトセル
などのセルタイプ情報が挙げられる。
【００４１】
上述した実施形態によれば、以下に示す効果が得られる。
（１）端末は、自己が訪問したセルのセルタイプを知ることができる。
（２）端末が訪問したセルのセルタイプに基づいて、端末の移動性の向上のために、より多くのセル情報を取得できる。これにより、例えば、ＲＲＣ（Radio Resource Control）アイドル状態（RRC_IDLE）におけるセル再選択（cell re-selection）を円滑に行うことができる。また、ＲＲＣ接続状態（RRC_CONNECTED）におけるハンドオーバを円滑に行うことができる。また、ＲＲＣ接続状態における無線リンク障害（RLF）からの回復を円滑に行うことができる。これにより、例えばＨｅｔＮｅｔにおいて、スモールセルを活用することによって、端末の移動性を向上させることができる。
（３）基地局は、自己に接続する端末が訪問したセルのセルタイプを取得して、ハンドオーバの失敗や無線リンク障害を低減させることに活用できる。
【００４２】
以上、本発明の実施形態について図面を参照して詳述してきたが、具体的な構成はこの実施形態に限られるものではなく、本発明の要旨を逸脱しない範囲の設計変更等も含まれる。
【００４３】
例えば、基地局ｅＮＢは、端末ＵＥに対して、ブロードキャストでセルタイプ情報を送信してもよく、又は、ユニキャスト若しくはマルチキャストでセルタイプ情報を送信してもよい。
【００４４】
また、上述した実施形態では、無線通信システムの一例としてＬＴＥシステムを挙げたが、ＬＴＥシステム以外の他の無線通信システムにも同様に適用可能である。
【００４５】
また、上述した端末ＵＥまたは基地局ｅＮＢの機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４７】
１１，２１…無線通信部、１２，２３…制御部、１３，２４…記憶部、１４…入力部、１５…出力部、２２…通信部、１２１…セルタイプ情報取得部、２３１…セルタイプ送信データ生成部、ｅＮＢ…基地局（無線基地局装置）、ＵＥ…端末（無線端末装置）
【図１】
2015173358.tif 000003
【図２】
2015173358.tif 000004
【図３】
2015173358.tif 000005
【図４】
2015173358.tif 000006
【図５】
2015173358.tif 000007
【図６】
2015173358.tif 000008
【図７】
2015173358.tif 000009